(57)【要約】【課題】手を使わずにすばやく笛を口にくわえられて、使わないときには口から離れて会話をしたい。そして手を使わずに電子機器を操作したい。【解決手段】複数の関節機構を持ちフレキシブルに動き収縮可能な図１記載のアーム３と、前記アーム３の一端と結合したヘルメット本体側壁に結合する結合部２と、前記アーム３の他端に取り付けた顎の運動により揺動して積載物を口に運ぶてこ部４と、前記積載物に取り付けたセンサー３９により電子機器の簡単な操作を可能にした。【選択図】  図１
2005113355.tif 000002
【特許請求の範囲】
【請求項１】
自在曲部と収縮可能なスライド部からなるアームと、前記アームの一端と結合したヘルメット本体側壁と結合する結合部と、前記アームの他端に支点を設けて前記支点を中心に揺動する長物体と、前記長物体の前端付近に取り付けた顎に当たる顎受けと、前記長物体の奥端付近に積載物と、前記積載物を載せる搭載部とからなるてこ部を持ち、前記搭載部は積載物を容易に着脱可能かつ容易に角度調節可能な積載物ホルダーと、前記積載物ホルダーを上下方向に往復揺動可能な揺動装置と、前記積載物と前記積載物ホルダーと揺動装置を一体に前記長物体の長手方向に揺動可能かつ固定可能な摺動装置とを具備したことを特徴とする多機能ヘルメット。
【発明の詳細な説明】
【技術分野】
【０００１】本発明は、顎の運動で積載物を口にくわえる多機能ヘルメットに関するものである。
【背景技術】
【０００２】笛に紐をつけて首にかける習慣があったが必要なときにすばやく使うことができなかった。  この改善策としてヘルメット側壁に笛を収納するケース  を取り付けたものや、ヘルメット側壁にリールを取り付けて笛と紐でつないだものがあった。  しかし、笛を口にくわえるときに必ず手を使わなければならず手がふさがった状態では使用できなかった。
【発明の開示】
【発明が解決しようとする課題】
【０００３】解決しようとする課題は手を使わずにすばやく笛を口にくわえられて、使わないときには口から離れて会話ができ、かつ、電子機器の簡単な制御も可能にしたい。
【課題を解決しようとする手段】
【０００４】この改善策として顎の上下運動によって笛が口に出入りする図１、図２記載のてこ部４を使用し、収縮自在でフレキシブルなアー厶３でヘルメット本体１と固定した。
【発明の効果】
【０００５】本発明で両手がふさがった状態で会話をしながら必要なときだけすばやく笛を吹ける。
【発明を実施するための最良の形態】
【０００６】アームとヘルメットを容易に着脱可能にする図１、図２記載の結合部２と、笛を容易に着脱可能にする図６記載の積載物ホルダー９を具備した点にある。
【実施例１】
【０００７】図１、図２記載のアーム３はヘルメット装着者の顔の形や顎の位置に応じて、てこ部４を調整できるように図９と図１０記載のフレキシブルに動く複数の関節機構を使用して構成した自在曲部２８と収縮可能なスライド部２７と収縮姿勢を固定するスライド固定ネジ２９を具備している。【０００８】図３記載の積載物８を顎の動きで口に入れるために顎に接する顎受け７と、口に入れる積載物８を長尺体６で連結して、前記長尺体６の中間付近に支点中心穴を持つ支点ブロック２５を支点支持棒１７に揺動可能に嵌めたてこ部４を具備している。【０００９】前記図３記載の顎受け７の他の実施例として図５に示すローラー型顎受けがあり顎受けローラー５３は顎と顎受け部の摩擦を軽減し、かつ、摺動装置ｂ５１と角度調整金具ｂ５２の作用で効率良く顎の動きを伝えることが可能である。【００１０】図６記載の前記積載物８は笛の他にセンサー３９も具備しているため用途別に積載物を取り替えたり、前記積載物８を丸洗いして衛生を保ち、かつ、装着後に容易に角度調節可能にするために素材の弾性を利用して前記積載物８を挟持する積載物ホルダー９を具備している。【００１１】図６記載の前記積載物ホルダー９の他の実施例として図７に示す軸型積載物ホルダー４０タイプもある。前記軸型積載物ホルダー４０は前記積載物８を容易に着脱可能かつ角度調節可能、かつ、接続端子オス４４を接続端子メス４１に嵌めるだけでセンサー３９からの電気信号を通電可能にする特徴をもっている。【００１２】ヘルメット使用者が積載物８を口にくわえたとき無理な角度にならないために前記積載物８と前積載物保持ホルダー９が前記長物体６の奥端上で上下方向に揺動可能にする回転軸をもつ図６記載の角度調整金具１０を前記積載物ホルダー９にとりつけていることを特徴とする。【００１３】使用する人の顎と口の間の距離に応じて積載物８の位置を調整可能にするために図６記載の前記積載物８と前記積載物ホルダー９と、前記角度調整金具１０を一体にして前記長物体６上を摺動可能な摺動装置４５を具備している。【００１４】使用者が口にくわえた前記積載物８を外すときスムーズに離れるために図６記載の前記積載物８をくわえたとき前記長尺体６の奥端がほぼ水平になるように下向きに湾曲させたおもり積載部２４と前記おもり積載部に載せた適量のおもり１１を具備している。【００１５】ヘルメット使用者の顎の位置にてこ部４を合わせるために図４記載の前記支点支持棒１７の軸方向に対する水平移動と固定可能で、かつ、振動等であご受け７が顎からはずれたときにおもり１１の重さでてこ部４が下に垂れ下がるのを防止するため前記支点支持棒１７を中心とするてこ部４の待機角度の調節と固定可能とするてこ調整機構を具備している。【００１６】前記てこ調整機構は図４記載の前記支点支持棒１７に嵌まる貫通穴を持ったピンなしリング１８と前記ピンなしリング１８の外円に前記貫通穴の円の接線に対して垂直方向に取り付けた突起物であるリングピン１３を持つピンありリング１９と、前記２つのリングを前記支点ブロック２５の両側壁の前記支点支持棒１１に固定することにより前記てこ部４の水平移動を固定し、前記てこ部４の待機角度の調節と固定をするために前記ピンありリング１９と接する前記支点ブロック２５側壁に取り付けた突起物であるブロックピン１２と前記リングピン１３が接触して前記支点ブロック２５の揺動を妨げることを特徴としている。【００１７】前記積載物８を使用しないとき前記アーム３と前記てこ部４は邪魔になるため前記アーム３を前記ヘルメット本体１と確実に固定可能、かつ、容易に着脱可能な図１２記載の結合部２を前記ヘルメット本体１の側壁にボルト３３で取り付けている。【００１８】図１２記載のヘルメット側壁に前記ボルト３３で固定した結合部本体４４に互いに係合しあうアーム取り付け凹凸３０を前記アーム３に、アームロックピン３４を前記結合部本体４４に開けたアーム挿入穴２１の内部に突き出るようにピン往復装置収納ケース１６に内装し、前記アーム取り付け凹凸３０と前記アームロックピン３４が嵌まる方向に力を加える弾性を持ったバネ２６を前記ピン往復装置収納ケース１６に内装することにより前記アーム３を図１４記載のアーム挿入穴２１に差し込むだけで固定できることを特徴とする。【００１９】前記アームロックピンは図１２記載の取り外しフック１５と芋ネジ３５により結合しており前記取り外しフック１５を引っ張ることで容易に前記アーム３を取り外すことができる。【００２０】前記芋ネジ３５を緩めて取り前記外しフック１５の位置を調整して前記アーム取り付け凹凸３０と前記アームロックピン３４の嵌まり具合を調整できる。【００２１】顎の上下運動により前記アーム３の微妙な揺れを防止するため前記アーム３を前記結合部２に嵌めると同時に前記アーム３に取り付けた図１２記載のアームぶれ防止ピン３７が前記結合部本体４４に形成したぶれ防止溝４８に嵌まるようにした。【００２２】図６記載の積載物８に取り付けたセンサー３９からの電気信号を制御部に伝える配線が前記アーム３を前記アーム挿入穴２１に挿入するだけで容易に結合する図１２記載の配線接続端子オス３１をアーム３の先端に、配線接続端子メス３８をアーム挿入穴２１の奥端にとりつけた。【００２３】前記結合部２の他の実施例として図１３記載のアームの先端に取り付けた鉄製接合部５０と、前記アーム挿入穴２１の奥端に取り付けた磁石４９を使用した磁石型結合部もある。【００２４】前記てこ部４と前記アーム３が一体になったメイン装置部は、前記結合部２から外したとき図１１に示すようにコンパクトに折りたたみ可能にするため長尺体６を支点ブロック２５の上で回転可能かつ固定可能な長尺体回転機構を具備している。【００２５】前記長尺体回転機構は前記支点ブロック２５と前記長尺体６を長尺体回転軸２２で回動可能に結合している。そして前記長尺体６が前記支点支持棒１７の軸方向に対して直角方向と平行方向で固定可能とする互いに係合する長尺体ロック穴５０と長尺体ロックピン２３を前記支点ブロック２５と前記長尺体６の接する面に形成して、前記長尺体回転軸２２に取り付けたバネ２６によって回転途中に自動的にロックする仕組みになっている。【００２６】前記積載物８は積載物として、ホイッスルと、各種センサー、各種スイッチ、マイクロフォン、をそれぞれ単体又は複数組み合わせた積載物を具備している。【００２７】前記センサー３９に唇が触れることによってリレーが作動しトランシーバーの送信やその他あらゆる機器の操作を、手を使わずに操作できる。【００２８】前記スイッチとして舌で操作するジョイステックを具備したタイプもある。【００２９】笛を吹くときはセンサーを作動させたくないときは笛内部に圧力センサーを内装するタイプもある。【００３０】前記積載物８はヘルメット使用者の下唇に引っ掛かりやすい形状に形成された図８記載のマウスフック４９を具備している。【００３１】使用者がヘルメットを被ったとき前記結合部２、アーム３、てこ部４の重さでヘルメットが傾かないために前記結合部４と反対側の前記ヘルメット本体１内側壁と前記ヘルメット本体１後部の内壁に取り付けた図１２記載のバランス安定用おもり２０を具備している。【００３２】他の実施例として前記ヘルメット本体１の両側壁内部にスピーカーを具備したタイプもある。【００３３】他の実施例として前記てこ部４、アーム部３、結合部２を、スピーカーを具備したヘッドバンドに取り付けたヘッドセットタイプもある。
【産業上の利用可能性】
【００３４】手を使わずに無線の送受信や笛を吹くことができ自由に会話もできるため交通誘導員や災害時の活動に役立つ。
【図面の簡単な説明】
【００３５】
【図１】実施例の側面図
【図２】実施例の正面図
【図３】てこ部側面図
【図４】てこ部上面図
【図５】ローラー型顎受け
【図６】積載物ホルダーと長物体回転機構
【図７】積載物ホルダー軸型
【図８】マウスフック
【図９】アーム正面図
【図１０】アーム側面図
【図１１】アーム折りたたみ図
【図１２】結合部内部
【図１３】結合部磁石型内部図
【図１４】バランス安定おもり図
【符号の説明】
【００３６】１ヘルメット本体
２結合部
３アーム
４てこ部
５支点中心穴
６長尺体
７顎受け
８積載物
９積載物ホルダー
１０角度調整金具
１１おもり
１２ブロックピン
１３リングピン
１４第二自在曲部
１５取り外しフック
１６ピン往復装置収納ケース
１７てこ支持棒
１８ピンなしリング
１９ピンありリング
２０バランス安定おもり
２１アーム挿入穴
２２長尺体回転軸
２３長尺体ロックピン
２４おもり積載部
２５支点ブロック
２６バネ
２７スライド部
２８第一自在曲部
２９スライド固定ネジ
３０アーム取り付け凹凸
３１配線接続端子オス
３２スライド固定リング
３３ボルト
３４アームロックピン
３５芋ネジ
３６バネ
３７アームぶれ防止ピン
３８配線接続端子メス
３９センサー
４０軸型ホルダー
４１接続端子メス
４２結合部本体
４３ネジ
４４接続端子オス
４５摺動装置
４６ぶれ防止溝
４７磁石
４８鉄製接合部
４９マウスフック
５０長尺体ロック穴
５１摺動装置ｂ
５２角度調整金具ｂ
５３顎受けローラー
【図１】
2005113355.tif 000003
【図２】
2005113355.tif 000004
【図３】
2005113355.tif 000005
【図４】
2005113355.tif 000006
【図５】
2005113355.tif 000007
【図６】
2005113355.tif 000008
【図７】
2005113355.tif 000009
【図８】
2005113355.tif 000010
【図９】
2005113355.tif 000011
【図１０】
2005113355.tif 000012
【図１１】
2005113355.tif 000013
【図１２】
2005113355.tif 000014
【図１３】
2005113355.tif 000015
【図１４】
2005113355.tif 000016
【手続補正書】
【提出日】平成15年12月17日(2003.12.17)
【手続補正１】
【補正対象書類名】明細書
【補正対象項目名】０００７
【補正方法】変更
【補正の内容】
【０００７】図１、図２記載のアーム３はヘルメット装着者の顔の形や顎の位置に応じて、てこ部４を調整できるように図９と図１０記載のフレキシブルに動く複数の関節機構を使用して構成した自在曲部２８と収縮可能なスライド部２７と前記スライド部２７の収縮姿勢を固定するスライド固定ネジ２９を具備している。
【手続補正２】
【補正対象書類名】明細書
【補正対象項目名】０００８
【補正方法】変更
【補正の内容】
【０００８】図３記載の積載物８を顎の動きで口に入れるために顎に接する顎受け７と、口に入れる前記積載物８を長尺体６で連結して、前記長尺体６の中間付近に支点中心穴５を持つ支点ブロック２５を図９記載のてこ支持棒１７に揺動可能に嵌めた図１、図２、図４記載のてこ部４を具備している。
【手続補正３】
【補正対象書類名】明細書
【補正対象項目名】００１０
【補正方法】変更
【補正の内容】
【００１０】図６記載の前記積載物８は笛の他にセンサー３９も具備しているため用途別にセンサーの付いていない積載物に取り替えたり、前記積載物８を丸洗いして衛生を保ち、かつ、装着後に容易に角度調節可能にするために素材の弾性を利用して前記積載物８を挟持する積載物ホルダー９を具備している。
【手続補正４】
【補正対象書類名】明細書
【補正対象項目名】００１２
【補正方法】変更
【補正の内容】
【００１２】図１記載のヘルメット使用者が前記積載物８を口にくわえたとき無理な角度にならないために図６記載の前記積載物８と前積載物保持ホルダー９が前記長尺体６の奥端上で上下方向に揺動可能にする回転軸をもつ角度調整金具１０を前記積載物ホルダー９にとりつけていることを特徴とする。
【手続補正５】
【補正対象書類名】明細書
【補正対象項目名】００１３
【補正方法】変更
【補正の内容】
【００１３】使用する人の顎と口の間の距離に応じて図６記載の積載物８の位置を調整可能にするために前記積載物８と前記積載物ホルダー９と、前記角度調整金具１０を一体にして前記長尺体６上を摺動可能な摺動装置４５を具備している。
【手続補正６】
【補正対象書類名】明細書
【補正対象項目名】００１４
【補正方法】変更
【補正の内容】
【００１４】使用者が図６記載の前記積載物８を口から外すときスムーズに離れるために前記積載物８を口にくわえたとき前記長尺体６の奥端がほぼ水平になるように下向きに湾曲させたおもり積載部２４と前記おもり積載部２４に載せた適量のおもり１１を具備している。
【手続補正７】
【補正対象書類名】明細書
【補正対象項目名】００１５
【補正方法】変更
【補正の内容】
【００１５】ヘルメット使用者の顎の位置に図４記載のてこ部４の位置を調整するために前記てこ支持棒１７の軸方向に対する水平移動と固定可能で、かつ、振動等で前記顎受け７が顎からはずれたときにおもり１１の重さでてこ部４が下に垂れ下がるのを防止するため前記てこ支持棒１７を中心とするてこ部４の待機角度の調節と固定可能とするてこ調整機構を具備している。
【手続補正８】
【補正対象書類名】明細書
【補正対象項目名】００１６
【補正方法】変更
【補正の内容】
【００１６】前記てこ調整機構は図４、図９記載の前記てこ支持棒１７に嵌まる貫通穴を持った図４記載のピンなしリング１８と前記ピンなしリング１８の外円に前記貫通穴の円の接線に対して垂直方向に取り付けた突起物である図３、図４記載のリングピン１３を持つピンありリング１９と、前記２つのリングを前記支点ブロック２５の両側壁の前記てこ支持棒１７に固定することにより前記てこ部４の水平移動を固定し、前記てこ部４の待機角度の調節と固定をするために前記ピンありリング１９と接する前記支点ブロック２５側壁に取り付けた突起物であるブロックピン１２と前記リングピン１３が接触して前記てこ部４の垂れ下がりを防ぐことを特徴としている。
【手続補正９】
【補正対象書類名】明細書
【補正対象項目名】００１７
【補正方法】変更
【補正の内容】
【００１７】前記積載物８を使用しないとき図１、図２記載の前記アーム３と前記てこ部４は邪魔になるため前記アーム３を前記ヘルメット本体１と確実に固定可能、かつ、容易に着脱可能な結合部２をヘルメット本体１の側壁に取り付けている。
【手続補正１０】
【補正対象書類名】明細書
【補正対象項目名】００１８
【補正方法】変更
【補正の内容】
【００１８】図１２は前記結合部２の詳細な図であり前記ヘルメット本体１の側壁にボルト３３で固定した結合部本体４２に、前記アーム３の端にアーム取り付け凹凸３０を取り付け、アームロックピン３４を前記結合部本体４２に開けたアーム挿入穴２１の内部に突き出るようにピン往復装置収納ケース１６に内装し、前記アーム取り付け凹凸３０と前記アームロックピン３４が嵌まる方向に力を加える弾性を持ったバネ３６を前記ピン往復装置収納ケース１６に内装することにより前記アーム３をアーム挿入穴２１に差し込むだけで固定できることを特徴とする。
【手続補正１１】
【補正対象書類名】明細書
【補正対象項目名】００１９
【補正方法】変更
【補正の内容】
【００１９】図１２記載の前記アームロックピン３４は取り外しフック１５と前記取り外しフック１５の側面にねじ込だ芋ネジ３５により結合しており前記取り外しフック１５を引っ張ることで容易に前記アーム３を取り外すことができる。
【手続補正１２】
【補正対象書類名】明細書
【補正対象項目名】００２１
【補正方法】変更
【補正の内容】
【００２１】顎の上下運動により図１、図２記載の前記アーム３の微妙な揺れを防止するため前記アーム３を前記結合部２に嵌めると同時に前記アーム３に取り付けた図１２記載のアームぶれ防止ピン３７が前記結合部本体４２に形成したぶれ防止溝４６に嵌まるようにした。
【手続補正１３】
【補正対象書類名】明細書
【補正対象項目名】００２３
【補正方法】変更
【補正の内容】
【００２３】前記結合部２の他の実施例として図１３記載のアームの先端に取り付けた鉄製接合部４８と、前記アーム挿入穴２１の奥端に取り付けた磁石４７を使用した磁石型結合部もある。
【手続補正１４】
【補正対象書類名】明細書
【補正対象項目名】００２４
【補正方法】変更
【補正の内容】
【００２４】図１１記載の前記てこ部４と前記アーム３が一体になったメイン装置部は、前記結合部２から外したときコンパクトに折りたたみ可能にするため図５、図６記載の前記長尺体６を支点ブロック２５の上で回転可能かつ固定可能な長尺体回転機構を具備している。
【手続補正１５】
【補正対象書類名】明細書
【補正対象項目名】００２５
【補正方法】変更
【補正の内容】
【００２５】図５、図６記載の前記長尺体回転機構は前記支点ブロック２５と前記長尺体６を長尺体回転軸２２で回動可能に結合している。そして前記長尺体６が図４記載の前記てこ支持棒１７の軸方向に対して直角方向と平行方向で固定可能とする互いに係合する図５、図６記載の長尺体ロック穴５０と長尺体ロックピン２３を前記支点ブロック２５と前記長尺体６の接する面に形成し、前記長尺体回転軸２２に取り付けたバネ２６によって回転途中に自動的にロックする仕組みになっている。
【手続補正１６】
【補正対象書類名】明細書
【補正対象項目名】００３１
【補正方法】変更
【補正の内容】
【００３１】使用者がヘルメットを被ったとき前記結合部２、アーム３、てこ部４の重さでヘルメットが傾かないために図１４記載の前記結合部２と反対側の前記ヘルメット本体１内側壁と前記ヘルメット本体１後部の内壁に取り付けたバランス安定用おもり２０を具備している。
【手続補正１７】
【補正対象書類名】明細書
【補正対象項目名】図面の簡単な説明
【補正方法】変更
【補正の内容】
【書類名】          図面の簡単な説明
【図６】
積載物ホルダーと長尺体回転機構
【手続補正１８】
【補正対象書類名】図面
【補正対象項目名】図１
【補正方法】変更
【補正の内容】
【図１】
2005113355.tif 000017
【手続補正１９】
【補正対象書類名】図面
【補正対象項目名】図２
【補正方法】変更
【補正の内容】
【図２】
2005113355.tif 000018
【手続補正２０】
【補正対象書類名】図面
【補正対象項目名】図４
【補正方法】変更
【補正の内容】
【図４】
2005113355.tif 000019
【手続補正２１】
【補正対象書類名】図面
【補正対象項目名】図１１
【補正方法】変更
【補正の内容】
【図１１】
2005113355.tif 000020
【手続補正２２】
【補正対象書類名】図面
【補正対象項目名】図１２
【補正方法】変更
【補正の内容】
【図１２】
2005113355.tif 000021
【手続補正２３】
【補正対象書類名】図面
【補正対象項目名】図１３
【補正方法】変更
【補正の内容】
【図１３】
2005113355.tif 000022
【手続補正書】
【提出日】平成16年3月3日(2004.3.3)
【手続補正２】
【補正対象書類名】手続補正書
【補正対象項目名】続補正１７
【補正方法】変更
【補正の内容】
【手続補正１７】
【補正対象書類名】明細書
【補正対象項目名】００３５
【補正方法】変更
【補正の内容】
【００３５】
【図１】実施例の側面図
【図２】実施例の正面図
【図３】てこ部側面図
【図４】てこ部上面図
【図５】ローラー型顎受け
【図６】積載物ホルダーと長尺体回転機構
【図７】積載物ホルダー軸型
【図８】マウスフック
【図９】アーム正面図
【図１０】アーム側面図
【図１１】アーム折りたたみ図
【図１２】結合部内部
【図１３】結合部磁石型内部図
【図１４】バランス安定おもり図
【手続補正書】
【提出日】平成16年3月6日(2004.3.6)
【手続補正１】
【補正対象書類名】特許請求の範囲
【補正対象項目名】全文
【補正方法】変更
【補正の内容】
【特許請求の範囲】
【請求項１】
自在曲部と収縮可能なスライド部からなるアームと、前記アームの一端と結合したヘルメット本体側壁と結合する結合部と、前記アームの他端に支点を設けて前記支点を中心に揺動する長尺体と、前記長尺体の前端付近に取り付けた顎に当たる顎受けと、前記長尺体の奥端付近に積載物と、前記積載物を載せる搭載部とからなるてこ部を持ち、前記搭載部は積載物を容易に着脱可能かつ容易に角度調節可能な積載物ホルダーと、前記積載物ホルダーを上下方向に往復揺動可能な揺動装置と、前記積載物と前記積載物ホルダーと揺動装置を一体に前記長尺体の長手方向に揺動可能かつ固定可能な摺動装置とを具備したことを特徴とする多機能ヘルメット。